(57)【要約】【課題】小口径でしかも深部の地下水などを大きな揚水量で揚水することができる取水装置を提供する。【解決手段】ケーシング管１と、ケーシング管１内に加圧流体の環状流路１２が形成されるように配置された取水管２と、ケーシング管１内に流入した水を取水管２を通して取り出すエジェクタ機構３０とを備え、エジェクタ機構３０は、取水管２の先端部に形成されたディフューザ部１３と、ケーシング管１の内周に形成され、後端部にディフューザ部１３が固定される環状厚肉部１４と、環状厚肉部１４の先端部内周に固定され、先端噴射孔１５ｃがディフューザ部１３と間隔を置いてディフューザ部１３に向けて開口するノズル管１５とを備え、環状厚肉部１４にはこれを半径方向に貫通して、水を該環状厚肉部内に流入させる流入孔２２が形成されるとともに、該環状厚肉部を軸線方向に貫通して環状流路１２とノズル管１５とを連通させる連通孔２３が形成されている。【選択図】図２
2015168981.tif 000002
【特許請求の範囲】
【請求項１】
先端が閉鎖されたケーシング管と、
このケーシング管内に、該ケーシング管との間に加圧流体の環状流路が形成されるように配置された取水管と、
前記ケーシング管内に流入した水を前記取水管を通して外部に取り出すエジェクタ機構とを備え、
前記エジェクタ機構は、
前記取水管の先端部に形成されたディフューザ部と、
前記ケーシング管の内周に形成され、後端部に前記ディフューザ部が固定される環状厚肉部と、
この環状厚肉部の先端部内周に固定され、先端噴射孔が前記ディフューザ部と間隔を置いて該ディフューザ部に向けて開口するノズル管とを備え、
前記環状厚肉部には該環状厚肉部を半径方向に貫通して、水を該環状厚肉部内に流入させるための複数の流入孔が周方向に間隔を置いて形成されるとともに、該環状厚肉部を軸線方向に貫通して前記環状流路と前記ノズル管とを連通させるための複数の連通孔が周方向に間隔を置いて形成されていることを特徴とする取水装置。
【請求項２】
前記取水装置は、地盤を掘削して形成された井戸孔に揚水装置として設置され、
前記ケーシング管の外周と前記井戸孔の孔壁との間に充填されるフィルター材が、前記ケーシング管の外周に巻き付けられた三次元立体網目構造を有する透水マットからなることを特徴とする請求項１記載の取水装置。
【請求項３】
前記透水マットは内部空隙率が小さい内層と、内部空隙率が大きい外層との２層構造からなることを特徴とする請求項２記載の取水装置。
【請求項４】
地盤を掘削して形成された井戸孔に揚水装置として設置される取水装置であって、
中間部にスクリーン部が設けられた外側ケーシング管と、
この外側ケーシング管内に配置され、下端が閉鎖された内側ケーシング管と、
この内側ケーシング管内に、該内側ケーシング管との間に加圧流体の環状流路が形成されるように配置された取水管と、
前記スクリーン部を通して前記内側ケーシング管内に流入した地下水を、前記取水管を通して汲み上げるエジェクタ機構とを備え、
前記エジェクタ機構は、
前記取水管の下端部に形成されたディフューザ部と、
前記ケーシング管の内周に形成され、上端部に前記ディフューザ部が固定される環状厚肉部と、
この環状厚肉部の下端部内周に固定され、先端噴射孔が前記ディフューザ部と間隔を置いて該ディフューザ部に向けて開口するノズル管とを備え、
前記環状厚肉部には該環状厚肉部を半径方向に貫通して、地下水を該環状厚肉部内に流入させるための複数の流入孔が周方向に間隔を置いて形成されるとともに、該環状厚肉部を軸線方向に貫通して前記環状流路と前記ノズル管とを連通させるための複数の連通孔が周方向に間隔を置いて形成されていることを特徴とする取水装置。
【請求項５】
前記外側ケーシング管の外周と前記井戸孔の孔壁との間に充填されるフィルター材が、前記外側ケーシング管の外周に巻き付けられた三次元立体網目構造を有する透水マットからなることを特徴とする請求項４記載の取水装置。
【請求項６】
前記透水マットは内部空隙率が小さい内層と、内部空隙率が大きい外層との２層構造からなることを特徴とする請求項５記載の取水装置。
【請求項７】
前記エジェクタ機構の上方の前記取水管内に少なくとも１つの中間増幅機構が設けられ、
この中間増幅機構は、
前記取水管内に配置され、先端噴射孔が上向きに開口するノズル管と、
このノズル管を支持するとともに、前記環状流路とノズル管を連通させる複数の支持パイプとを備えることを特徴とする請求項１〜６のいずれか１に記載の取水装置。
【請求項８】
前記ノズル管の上方の前記取水管にディフューザ部が形成されていることを特徴とする請求項７記載の取水装置。
【発明の詳細な説明】
【技術分野】
【０００１】
この発明は、取水装置に関し、より詳細には小口径で簡易な設備で済み、しかも高揚程で地下水などの水を汲み上げることが可能な取水装置に関する。
【背景技術】
【０００２】
構造物基礎のための根伐りや、トンネル施工等の際に実施される地下水位低下工法として、釜場排水やディープウェルに代表される重力排水工法と、ウェルポイントやバキュームディープウェルに代表される強制排水工法が知られている。これら工法のうち、帯水層が浅い場合には主にウェルポイントが適用され、帯水層が深い場合（６ｍ以深）にはディープウェルやバキュームディープウェルが適用される。釜場排水は、地下水があまり豊富でなく、比較的根伐り深さが浅い場合に適用される。
【０００３】
しかしながら、ウェルポイント工法は、集水管に真空度をかけることにより地下水を排水する工法であるので、真空度によって地下水の吸引深さに限度があるうえ、真空システムの煩雑な維持管理が必要であるという難点がある。ディープウェル工法は、排水ポンプを井戸内に設置して地下水を排水する工法であるので、設置井戸が大口径になって、揚水システムも大掛かりなものとなる。また、揚水による周辺地域への影響も無視できない。さらに、重力式なので対象とする帯水層の透水係数が大きくないと地下水位低下が見られない。
【０００４】
バキュームディープウェル工法は、この透水係数の問題をクリアするために開発されたもので、ストレーナー管内に真空度をかけて強制的に地下水を排水する工法である。しかしながら、この工法の場合、井戸内を真空にして地下水を排水ポンプの吸い込み口まで集めなければ排水できない。また、ストレーナー管内に真空度をかけるので、設備が大掛かりなものとなる。釜場排水工法は、掘削部に浸透してくる地下水を、掘削底面よりやや深い位置に設けた釜場に集め排水ポンプで排水する工法であるので、地下水とともに流出した土粒子が排水ポンプを埋没させてしまうことや、透水係数の大きい帯水層の場合には予め地盤の透水係数を小さくしておかないと、パイピングの原因となるという難点がある。
【０００５】
地下水を汲み上げる機構として、ジェットポンプを用いた揚水装置も提案されている。例えば、特許文献１には外管内に、ベンチュリ部を有する内管とエア管とを設け、エア管の先端部をベンチュリ部ののど部に上向きに開口するようにした揚水装置が開示されている。しかしながら、この揚水装置は内管及びエア管がそれぞれ独立して外管内に挿入される構造であるので、所要の揚水量を得るためには外管径すなわち井戸径を大きくしなければならない。また、同文献記載のものは、エア管の先端部を内管に挿入する構造であるので、内管の有効断面積を広くとることができず、揚水量を大きくすることができない。
【０００６】
上記のような背景の下、この出願人はエジェクタ機構、詳しくはベンチュリ部（エジェクタ本体）に半径方向に貫通する吐出流路を設け、この吐出流路からベンチュリ部内にジェット流体を噴射する揚水装置を提案した（特許文献２参照）。しかしながら、この装置は、全体として小口径ではあるものの、加圧流体が小径の吐出流路から横向きに噴射されるため、加圧流体の送り量を大きくすることができず、大きな揚水量を得るには限度があった。
【先行技術文献】
【特許文献】
【０００７】
【特許文献１】特開２００８−５７２０１号公報
【特許文献２】特開２０１３−１１０８９号公報
【発明の概要】
【発明が解決しようとする課題】
【０００８】
この発明は上記のような技術的背景に基づいてなされたものであって、次の目的を達成するものである。
この発明の目的は、小口径でしかも深部の地下水などを大きな揚水量で揚水することができる取水装置を提供することにある。
【課題を解決するための手段】
【０００９】
この発明は上記課題を達成するために、次のような手段を採用している。
すなわち、この発明は、先端が閉鎖されたケーシング管と、
このケーシング管内に、該ケーシング管との間に加圧流体の環状流路が形成されるように配置された取水管と、
前記ケーシング管内に流入した水を前記取水管を通して外部に取り出すエジェクタ機構とを備え、
前記エジェクタ機構は、
前記取水管の先端部に形成されたディフューザ部と、
前記ケーシング管の内周に形成され、後端部に前記ディフューザ部が固定される環状厚肉部と、
この環状厚肉部の先端部内周に固定され、先端噴射孔が前記ディフューザ部と間隔を置いて該ディフューザ部に向けて開口するノズル管とを備え、
前記環状厚肉部には該環状厚肉部を半径方向に貫通して、水を該環状厚肉部内に流入させるための複数の流入孔が周方向に間隔を置いて形成されるとともに、該環状厚肉部を軸線方向に貫通して前記環状流路と前記ノズル管とを連通させるための複数の連通孔が周方向に間隔を置いて形成されていることを特徴とする取水装置にある。
【００１０】
上記取水装置は、地盤を掘削して形成された井戸孔に揚水装置として設置され、
前記ケーシング管の外周と前記井戸孔の孔壁との間に充填されるフィルター材が、前記ケーシング管の外周に巻き付けられた三次元立体網目構造を有する透水マットからなる構成を採用することができる。
【００１１】
この場合、前記透水マットは内部空隙率が小さい内層と、内部空隙率が大きい外層との２層構造からなる構成を採用することができる。
【００１２】
また、この発明は、地盤を掘削して形成された井戸孔に揚水装置として設置される取水装置であって、
中間部にスクリーン部が設けられた外側ケーシング管と、
この外側ケーシング管内に配置され、下端が閉鎖された内側ケーシング管と、
この内側ケーシング管内に、該内側ケーシング管との間に加圧流体の環状流路が形成されるように配置された取水管と、
前記スクリーン部を通して前記内側ケーシング管内に流入した地下水を、前記取水管を通して汲み上げるエジェクタ機構とを備え、
前記エジェクタ機構は、
前記取水管の下端部に形成されたディフューザ部と、
前記ケーシング管の内周に形成され、上端部に前記ディフューザ部が固定される環状厚肉部と、
この環状厚肉部の下端部内周に固定され、先端噴射孔が前記ディフューザ部と間隔を置いて該ディフューザ部に向けて開口するノズル管とを備え、
前記環状厚肉部には該環状厚肉部を半径方向に貫通して、地下水を該環状厚肉部内に流入させるための複数の流入孔が周方向に間隔を置いて形成されるとともに、該環状厚肉部を軸線方向に貫通して前記環状流路と前記ノズル管とを連通させるための複数の連通孔が周方向に間隔を置いて形成されていることを特徴とする取水装置にある。
【００１３】
上記取水装置において、前記外側ケーシング管の外周と前記井戸孔の孔壁との間に充填されるフィルター材が、前記外側ケーシング管の外周に巻き付けられた三次元立体網目構造を有する透水マットからなる構成を採用することができる。
【００１４】
この場合、前記透水マットは内部空隙率が小さい内層と、内部空隙率が大きい外層との２層構造からなる構成を採用することができる。
【００１５】
さらに、上記各取水装置において、前記エジェクタ機構の上方の前記取水管内に少なくとも１つの中間増幅機構が設けられ、
この中間増幅機構は、
前記取水管内に配置され、先端噴射孔が上向きに開口するノズル管と、
このノズル管を支持するとともに、前記環状流路とノズル管を連通させる複数の支持パイプとを備える構成を採用することができる。
【００１６】
この場合、前記ノズル管の上方の前記取水管にディフューザ部が形成されている構成を採用することができる。
【発明の効果】
【００１７】
この発明によれば、小口径でしかも深部の地下水などを大きな揚水量で揚水することができる
【図面の簡単な説明】
【００１８】
【図１】この発明による取水装置を揚水装置として適用した第１実施形態であって、その全体構成を示す断面図である。
【図２】揚水装置の下部に設けられるエジェクタ機構の詳細を示し、（ａ）は軸線方向断面図、（ｂ）は（ａ）のＡ−Ａ線矢視断面図である。
【図３】複数の揚水装置の配置と、地上に設置される配管類との関係を示す図である。
【図４】この発明による取水装置を揚水装置として適用した第２実施形態であって、その全体構成を示す断面図である。
【図５】この発明による取水装置を揚水装置として適用した第３実施形態であって、その全体構成を示す断面図である。
【図６】中間増幅機構の詳細を示し、（ａ）は軸線方向断面図、（ｂ）は（ａ）のＢ−Ｂ線矢視断面図である。
【発明を実施するための形態】
【００１９】
この発明の実施形態を図面を参照しながら以下に説明する。図１は、この発明による取水装置を揚水装置として適用した第１実施形態であって、その全体構成を示す断面図である。揚水装置は、ケーシング管１と、ケーシング管１内に配置された取水管２との二重管を備えている。この実施形態は地下水を揚水対象とし、揚水対象となる地盤の例として、表層３の下方に帯水層４を有し、さらにその下方に不透水層５を有する地盤が示されている。
【００２０】
この地盤を不透水層５に至る深度まで掘削し、井戸孔６が形成される。ケーシング管１は、この井戸孔６に設置される。井戸孔６の孔壁とケーシング管１との間には、帯水層４部分を含むこれより以深の部分にフィルター材７が充填され、その上方に粘土等からなる遮水材８、さらに埋め戻し材（砂、発生土）やモルタル等からなる密封材９が設けられている。この発明は、フィルター材７に関しても特徴を有しているが、これについては後述する。ケーシング管１の上端はフランジ１０によって閉鎖されている。取水管２はフランジ１０に設けられた連結管１１を介して集合管２５（図３参照）に連結されている。
【００２１】
揚水装置の下部にはエジェクタ機構３０が設けられ、図２はその詳細を示している。図２において（ａ）は軸線方向断面図、（ｂ）は（ａ）のＡ−Ａ線矢視断面図である。ケーシング管１の下端は閉鎖されている。このケーシング管１と取水管２との間には、加圧流体を供給するための環状流路１２が形成されている。加圧流体を供給することによりベンチュリー効果を発生させるエジェクタ機構３０は、取水管２の下端部に設けられたディフューザ部１３と、ケーシング管１の内周に形成された環状厚肉部１４と、ノズル管１５とを備えている。
【００２２】
ディフューザ部１３は、この実施形態では、取水管２とは別部材として形成され、上端部が取水管２の下端部にネジ１６により固定されている。ディフューザ部１３の下端部はネジ１７により環状厚肉部１４の上端部内周に固定されている。このディフューザ部１３の下端部には環状厚肉部１４の上端に係合する位置決めのための段部１８が形成されている。
【００２３】
ノズル管１５は本体１５ａとテーパ部１５ｂとを有し、テーパ部１５ｂがネジ１６により環状厚肉部１４の下端部内周に固定されている。テーパ部１５ｂの先端噴射孔１５ｃは、ディフューザ部１３の下部入口と間隔を置いてディフューザ部１３に向けて上向きに開口している。ノズル管１５の本体１５ａとテーパ部１５ｂとの間には、環状厚肉部１４の下端に係合する位置決めのための段部１９が形成されている。
【００２４】
環状厚肉部１４は、この実施形態では、ケーシング管１とは別部材として形成され、その上下端部がネジ２０、２１によりケーシング管１にそれぞれ固定されている。環状厚肉部１４には、これを半径方向に貫通する地下水の流入孔２２が周方向に間隔を置いて複数設けられている。ノズル管１５の先端噴射孔１５ｃは、この流入孔２２とほぼ同じ高さレベルで開口している。また、環状厚肉部１４には軸線方向に貫通する複数の連通孔２３が周方向に間隔を置いて形成されている。環状流路１２とノズル管１５とは、これらの連通孔２３によって連通している。なお、ディフューザ部１３の段部１８及びノズル１５の段部１９は、連通孔２３を閉鎖しない外径寸法を有している。
【００２５】
再び図１を参照し、ケーシング管１と井戸孔６の孔壁との間に充填されるフィルター材７は、三次元立体網目構造を有する透水マットからなっている。透水マットとしては、例えば「ヘチマロン」（商品名、新光ナイロン株式会社）を使用することができる。フィルター材７すなわち透水マットは、ケーシング管１の井戸孔６への設置前に予めケーシング管７に巻き付けられる。フィルター材７は内層７ａ及び外層７ｂの２層からなり、内層７ａには内部空隙率が小さい透水マットが、外層７ｂには内部空隙率が大きい透水マットがそれぞれ使用される。なお、この実施形態では井戸孔６の底部にもフィルター材の底部層７ｃとして、外層７ｂと同様の内部空隙率を持つ透水マットが配置されている。
【００２６】
フィルター材７としては、従来と同様に硅砂などの粒状物を使用してもよいが、上記のような三次元立体網目構造を有する透水マットを使用することにより、次のような利点が得られる。予めケーシング管１の外周に取り付けたフィルター材７によって、ケーシング管１と井戸孔６の孔壁との間が充填されるので、充填不足が発生することがなく、また充填時間の短縮を図ることができる。また、フィルター材７は内部空隙率が異なる内層７ａ及び外層７ｂの２層からなるので段階的に地下水を濾過することができる。さらに、外層７ｂは内部空隙率が大きいので地下水が外層７ｂ内部に浸透しやすく、したがってケーシング管１の設置時には地下水の抵抗による浮き上がりを抑制することができる。
【００２７】
図３に示すように、上記のような揚水装置を備えた揚水井戸は、地下水位を低下させる施工現場の規模に応じて複数本設置される。各揚水装置の取水管２は連結管１１を介して、地上に設置された集合管２５に連結される。地上にはまた、加圧流体供給管２６が設置される。加圧流体としては、例えば圧縮空気や加圧水を使用することができ、加圧流体供給管２６はコンプレッサーや加圧ポンプに連結される。この加圧流体供給管２６に各装置の環状流路１２が連結管２７を介して連結される。
【００２８】
次に、上記揚水装置の作用について図２を参照しながら説明する。上述のように、環状流路１２には圧縮空気や加圧水などの加圧流体が供給される。この加圧流体は環状厚肉部１４の連通孔２３を通ってケーシング管１の底部に流れ込み、ケーシング管１の底部で上昇流となってノズル管１５に入り込む。さらに、加圧流体はノズル管１５の先端噴射孔１５ｃからディフューザ部１３に向けて噴射される。噴射された加圧流体はノズル管１５の先端噴射孔１５ｃ付近で流速が増大してジェット流となり、全圧のうちほぼ速度ヘッドが占めることとなるので、その分、圧力が低下する。
【００２９】
この圧力低下により、井戸孔６内に入り込んだ地下水がフィルター材７さらには流入孔２２を通って環状厚肉部１４内に吸い込まれ、ディフューザ部１３内で瞬時に加圧流体と混合する。その後、地下水を伴った加圧流体は流路が拡がるディフューザ部１３の出口に向かって拡散され、ジェット流は収束し、圧力に再転換される（ベンチュリー効果）。このようにして、地下水が取水管２に導入され、揚水される。なお、図２において加圧流体の流れを実線矢印、地下水の流れを破線矢印で示してある。
【００３０】
上記のような揚水装置によれば、揚水装置はケーシング管１、取水管２及びエジェクタ機構３０で構成されるので、揚水井戸を小口径化することができ、狭隘地での強制排水工法が適用できるようになる。また、ケーシング管１と取水管２との間の環状流路１２に供給される加圧流体を、ディフューザ部１３の下方に設けたノズル管１５から噴射されるようにしたので、ディフューザ部１３の有効断面積を広くとることができ、さらに加圧流体の送り量も大きくすることができるので、揚水量を大きくすることが可能となる。
【００３１】
図４は、この発明による取水装置を揚水装置として適用した第２実施形態であって、その全体構成を示す断面図である。この第２実施形態は、上記第１実施形態で示したケーシング管１を内側ケーシング管とし、さらにその外側に外側ケーシング管３１を設け、全体として三重管としたものである。外側ケーシング管３１及び内側ケーシング管１の上端はフランジ１０によって閉鎖されている。外側ケーシング管３１の中間部には地下水を流入させるためのスクリーン部３２が設けられている。このスクリーン部３２は、例えば周知の巻線によるもので帯水層４に対応する位置に設けられている。
【００３２】
外側ケーシング管３１と井戸孔６との間には、第１実施形態で示したと同様の透水マットからなり、内層７ａ及び外層７ｂを有するフィルター材７が設けられている。このフィルター材７も外側ケーシング管３１の井戸孔６への設置前に、外側ケーシング管３１の外周に巻き付けられる。エジェクタ機構３０を含むその他の構成は、第１実施形態と同様である。
【００３３】
この第２実施形態の場合、内側ケーシング管１と外側ケーシング管３１との間の環状空隙３３を負圧にすることにより、外側ケーシング管３１内への地下水の流入を促進させることができる。フィルター材７を通って外側ケーシング管３１内に流入した地下水は、上記第１実施形態で説明したと同様にエジェクタ機構３０の作用により、取水管２に導入され、揚水される。
【００３４】
第１実施形態の場合、ケーシング管１を井戸孔６に設置した後の地下水位低下工法を施工している期間中はケーシング管１及び取水管２を地盤から引き抜くことができないが、この第２実施形態の場合は施工期間中であっても内側ケーシング管１及び取水管２を引き抜くことができるので、エジェクタ機構３０等のメンテナンスを行うことができる。
【００３５】
図５，図６は、この発明による取水装置を揚水装置として適用した第３実施形態を示している。図５は揚水装置の全体構成を示す断面図、図６は中間増幅機構の詳細を示し、（ａ）は軸線方向断面図、（ｂ）は（ａ）のＢ−Ｂ線矢視断面図である。この第３実施形態では、エジェクタ機構３０の上方の揚水管２内に中間増幅機構３５が設けられている。
【００３６】
中間増幅機構３５は、図６に示すように、ノズル管３６と、このノズル管３６を取水管２に支持するための複数の支持管３７とを備えている。ノズル管３６は本体３６ａと、この本体３６ａの上部に固定されるテーパ部３６ｂとを有し、テーパ部３６ｂの先端噴射孔３６ｃは上向きに開口している。支持管３７は外周にネジが形成された全ネジ管からなり、一端が取水管２に固定され、他端がノズル管３６の本体３６ａに固定されている。これにより、環状流路１２とノズル管３６とが連通している。取水管２にはノズル管３６と間隔を置いた上方にディフューザ部３８が設けられている。
【００３７】
環状流路１２に供給された加圧流体は、支持管３７を通ってノズル管３６に入り込み、先端噴射孔３６ｃからディフューザ部３８に向けて噴射される。噴射された加圧流体はノズル管３６の先端噴射孔３６ｃ付近で流速が増大し、その分、圧力が低下する。この圧力低下により、取水管２内の地下水の上昇が促進される。なお、加圧流体として圧縮空気を用いる場合は、エアリフト作用を期待できるので、ディフューザ部３８は必ずしも設けなくともよい。
【００３８】
この中間増幅機構３５は、１つに限らず、多段式となるように軸線方向に間隔を置いて複数設置するようにしてもよい。また、この中間増幅機構３５は、第１実施形態で示した揚水装置に限らず、第２実施形態で示した揚水装置にも適用できる。なお、上記揚水装置で用いられる各管のサイズを示すと、例えば取水管２が３２Ａ、（内側）ケーシング管１が５０Ａ、外側ケーシング管が８０Ａであり、極めて小口径のものである。
【００３９】
上記実施形態は例示にすぎず、この発明は種々の態様を採ることができる。上記実施形態では、この発明による取水装置を揚水装置として適用し、鉛直方向に地下水を汲み上げるる場合について説明したが、この発明による取水装置は地山に水平方向に設置し、地山内の地下水を水平方向に取水する場合にも適用することができる。すなわち、この発明による取水装置はあらゆる角度方向に設置することが可能である。
また、取水対象とする水に関しても、地下水に限らず、例えば、ばら積み船の船倉に溜まった汚染水や、船倉内の鉱石等の凹所部分に溜まった汚染水、さらには埋立処分場等から発生する浸出水など、あらゆる水を対象とすることができる。
【符号の説明】
【００４０】
１      ケーシング管（内側ケーシング管）
２      取水管
３      表層
４      帯水層
５      不透水層
６      井戸孔
７      フィルター材
１２      環状流路
１３      ディフューザ部
１５      ノズル管
３０      エジェクタ機構
３１      外側ケーシング管
３２      スクリーン部
３５      ノズル管
３５      中間増幅機構
３６      ノズル管
【図１】
2015168981.tif 000003
【図２】
2015168981.tif 000004
【図３】
2015168981.tif 000005
【図４】
2015168981.tif 000006
【図５】
2015168981.tif 000007
【図６】
2015168981.tif 000008